(57)【要約】【解決手段】  加熱法によるダイオキシン類汚染物の浄化方法は、ダイオキシン類および塩類を含む汚染物を加熱処理してダイオキシン類を分解または除去するに当たり、加熱処理前に塩類濃度を低減しておくことを特徴とする。塩類、海水に含まれる成分である、塩化ナトリウム、塩化カリウム、塩化マグネシウム、塩化カルシウム等の金属塩化物である。【効果】  本発明の方法により、塩類を含有したダイオキシン汚染物を加熱法により効率的に浄化処理することができる。【選択図】    なし【特許請求の範囲】
【請求項１】
ダイオキシン類および塩類を含む汚染物を加熱処理してダイオキシン類を分解または除去するに当たり、加熱処理前に塩類濃度を低減しておくことを特徴とする加熱法によるダイオキシン類汚染物の浄化方法。
【請求項２】
塩類濃度の低減を水洗により行うことを特徴とする請求項１記載の加熱法によるダイオキシン類汚染物の浄化方法。
【請求項３】
加熱時の雰囲気を酸素濃度１％以下の窒素雰囲気にすることを特徴とする請求項１または２記載の加熱法によるダイオキシン類汚染物の浄化方法。
【請求項４】
加熱時の温度を３００〜７００℃とすることを特徴とする請求項１〜３のいずれかに記載の加熱法によるダイオキシン類汚染物の浄化方法。
【発明の詳細な説明】
【技術分野】
【０００１】
本発明は、ダイオキシン類で汚染された土壌、底質等の汚染物を加熱により浄化する方法に関し、より詳しくは、塩類を含むダイオキシン類汚染物を処理する方法に関する。
【背景技術】
【０００２】
ダイオキシン類に汚染された土壌、底質等の汚染物からダイオキシン類を分解あるいは除去する浄化技術には、溶融固化法、キルン焼却法、加熱脱塩素分解法、溶媒抽出法、バイオレメディエーション法等がある。また特許文献１には、特定の触媒の存在下に汚染物を加熱するダイオキシン類の分解方法が記載されている。
【特許文献１】特公平６−３８８６３号公報
【発明の開示】
【発明が解決しようとする課題】
【０００３】
塩類を含むダイオキシン類汚染物をそのまま２００〜７００℃で加熱浄化処理すると、ダイオキシン類の除去が困難であり、条件によってはダイオキシン濃度が処理前より高くなってしまう場合がある。このようにダイオキシン類の除去率が著しく低下する主な原因の一つは汚染物に含まれる海水塩類であることが分かった。
【課題を解決するための手段】
【０００４】
本発明による、加熱法によるダイオキシン類汚染物の浄化方法は、ダイオキシン類および塩類を含む汚染物を加熱処理してダイオキシン類を分解または除去するに当たり、加熱処理前に塩類濃度を低減しておくことを特徴とする方法である。
【０００５】
塩類、海水に含まれる成分である、塩化ナトリウム、塩化カリウム、塩化マグネシウム、塩化カルシウム等の金属塩化物である。
【０００６】
塩類濃度を低減するのは、ダイオキシン類および塩類を含む汚染物を水洗する方法が好ましい。汚染物をその１〜１００体積倍の水と混合し、フィルタープレス、遠心脱水機等で脱水を行い、汚染物中の塩類濃度を低下させる。汚染物と水の混合、脱水は数回繰り返しても良い。加熱処理前の汚染物中の塩類濃度は、乾燥物中の塩素原子として好ましくは０．５重量％以下、より好ましくは０．０５重量％以下である。
【０００７】
加熱時の雰囲気を酸素濃度１％以下の窒素雰囲気にすることが好ましく、加熱時の温度を３００〜７００℃とすることが好ましい。
【発明の効果】
【０００８】
本発明の方法により、塩類を含有したダイオキシン汚染物を加熱法により効率的に浄化処理することができる。
【発明を実施するための最良の形態】
【０００９】
つぎに、本発明を具体的に説明するために、本発明の実施例およびこれとの比較を示すための比較例をいくつか挙げる。
【００１０】
実施例１（比較）
ダイオキシン含有量８０００ｐｇ−ＴＢＱ／ｇ、塩素含有量０．０５乾燥重量％の淡水域底質（底質Ａ）を空気雰囲気中で２００℃〜７００℃の範囲で５分間加熱処理した。処理後の試料中ダイオキシン類濃度を測定したところ、表１に示すように、ダイオキシン類濃度は３．２〜７５００ｐｇ−ＴＥＱ／ｇであった。
【表１】
2005296770.tif 000002
【００１１】
実施例２（比較）
ダイオキシン含有量２００ｐｇ−ＴＥＱ／ｇ、塩素含有量２．０乾燥重量％の海水域底質（底質Ｂ）を空気雰囲気中で２００℃〜７００℃の範囲で５分間加熱処理した。処理後の試料中ダイオキシン類濃度を測定したところ、表２に示すように、ダイオキシン類濃度は１６０〜３５０ｐｇ−ＴＥＱ／ｇであった。
【表２】
2005296770.tif 000003
【００１２】
実施例３（比較）
実掩例１に示す底質（Ａ）に人工海水を湿式混入し、その後これを乾燥させ、ダイオキシン濃度７７００ｐｇ−ＴＦＱ／ｇ、塩素含有量２．０乾燥重量％の底質（Ｃ）を調製した。底質（Ｃ）を空気雰囲気中２００℃〜７００℃の範囲で５分間加熱処理した。処理後の試料中ダイオキシン類濃度を測定したところ、表３に示すように、ダイオキシン類濃度は１１００〜７６００ｐｇ−ＴＥＱ／ｇであった。
【００１３】
実施例１、実施例２との比較で汚染物中に海水塩類が混入するとダイオキシン除去に悪影響を及ぼすことが分かる。
【表３】
2005296770.tif 000004
【００１４】
実施例４
実掩例２に示す底質（Ｂ）に４倍重量のイオン交換水を加えて撹拌後ろ過し、残査を乾燥してダイオキシン濃度２００ｐｇ−ＴＥＱ／ｇ、塩素含有量０．５０乾燥重量％の底質（Ｄ）を調製した。底質（Ｄ）を空気雰囲気中で２００℃〜７００℃の範囲で５分間加熱処理した。処理後の試料中ダイオキシン類濃度を測定したところ、表４に示すように、ダイオキシン類濃度は４０〜２００ｐｇ−ＴＥＱ／ｇであった。実施例２との比較で、水洗により汚染物中の塩類を低減させることによりダイオキシン類除去率を向上できることが分かる。
【表４】
2005296770.tif 000005
【００１５】
実施例５
実掩例４に示す底質（Ｄ）に１０倍重量のイオン交換水を加えて撹拌後ろ過し、残査を乾燥してダイオキシン濃度２００ｐｇ−ＴＢＱ／ｇ、塩素含有量０．０５乾燥重量％の底質（Ｅ）を調製した。底質（Ｅ）を空気雰囲気中２００℃〜７００℃の範囲で５分問加熱処理した。処理後の試料中ダイオキシン類濃度を測定したところ、表５に示すように、ダイオキシン類濃度は０．８５〜２００ｐｇ−ＴＥＱ／ｇであった。実施例４との比較で、より多くの水で汚染物を洗浄し、汚染物中塩類をより多く除去することにより、さらにダイオキシン類除去率を向上できることが分かる。
【表５】
2005296770.tif 000006
【００１６】
実施例６（比較）
実施例２に示す底質（Ｂ）を酸素濃度１％および０．１％雰囲気中４００℃〜６００℃の範囲で５分間加熱処理した。処理後の試料中ダイオキシン類濃度を測定したところ、表６に示すように、ダイオキシン類濃度は９〜２４０ｐｇ−ＴＦＱ／ｇであった。実施例２と比較して、加熱処理する際の酸素濃度が低いほどダイオキシン類除去率が高いことが分かる。
【表６】
2005296770.tif 000007
【００１７】
実施例７
実掩例４に示す底質（Ｄ）を酸素濃度１％および０．１％雰囲気中４００℃〜６００℃の範囲で５分間加熱処理した。処理後の試料中ダイオキシン類濃度を測定したところ、表７に示すように、ダイオキシン類濃度は０．８７〜１００ｐｇ−ＴＥＱ／ｇであった。実施例４、実施例６と比較して、塩類を低減した場合、加熱処理する際の酸素濃度が低いほどダイオキシン類除去率が高いことが分かる。
【表７】
2005296770.tif 000008